(57)【要約】【課題】表示面を有する両軸受リールにおいて、表示面の視認性を向上させる。【解決手段】カウンター部４は、本体部材の前部上面に取り付けられ、仕掛けの水深や棚位置を水面からと底からとの２つの基準で表示する表示面５ａが設けられている。表示面５ａは、７セグメントで表示する方式の液晶となっている。このカウンター部４は、前方側が上方になるように傾斜している。このとき、釣竿装着面９ａと表示面５ａとのなす角度である傾斜角度αは、５度以上２０度未満の範囲になるように設定される。【選択図】      図３
2004166506.tif 000002
【特許請求の範囲】
【請求項１】
釣竿に着脱自在に装着され、前方に釣り糸を繰り出す両軸受リールのリール本体であって、
前記釣竿に装着するための釣竿装着面が形成される竿取付脚部と、
前記竿取付脚部の前記釣竿装着面の裏側に相当する面上に設けられる本体部材と、
前記釣竿の中心軸にくい違う軸回りに回転自在に前記本体部材に装着されるハンドル部と、
前記ハンドル部の回転軸と平行なスプール軸回りに回転自在に前記本体部材に装着されるスプールと、
前記本体部材の上部に設けられ、前方側が前記竿取付脚部からより離反するように傾斜するセグメント方式の表示面を有するカウンター部と、
を備え、
前記釣竿装着面と前記表示面とのなす角度である前記表示面の傾斜角度が５度以上２０度未満の範囲になるように前記カウンター部が配置されている、
両軸受リールのリール本体。
【請求項２】
前記傾斜角度は、８度以上１５度以下の範囲である、請求項１に記載の両軸受リールのリール本体。
【請求項３】
前記カウンター部は、前記本体部材の前記釣り糸が繰り出される側に配置されている、請求項１又は２に記載の両軸受リールのリール本体。
【請求項４】
前記表示面は、７セグメントで表示する方式の液晶表示面である、請求項１から３のいずれかに記載の両軸受リールのリール本体。
【請求項５】
前記竿取付脚部は、前記本体部材の前記傾斜角度を変更可能な取付部材を有する、請求項１から４のいずれかに記載の両軸受リールのリール本体。
【発明の詳細な説明】
【０００１】
【発明の属する技術分野】
本発明は、リール本体、特に、釣竿に着脱自在に装着され、前方に釣り糸を繰り出す両軸受リールのリール本体に関する。
【０００２】
【従来の技術】
一般に、両軸受リールは、釣竿に取り付けられるリール本体と、リール本体に装着されたスプールと、スプールを回転させるハンドルとを備えている。リール本体は、本体部材と、本体部材の下部に設けられ釣竿に取り付けるための竿取付脚部と、本体部材の上部に設けられ竿取付脚部と略平行になるように配置されたカウンター部とを有している。カウンター部の上面には、水深等の各種の情報を表示する表示面が設けられている。表示面は、セグメント方式の液晶ディスプレイであり、棚位置や現在の仕掛けの水深等を表示することができる（たとえば、特許文献１参照）。
【０００３】
【特許文献１】
特開２０００−３００１２９号公報（第１図、第１３図）
【０００４】
【発明が解決しようとする課題】
従来のセグメント方式を採用した表示面を有する両軸受リールでは、カウンター部の上面が竿取付脚部と略平行になるように配置されているので、表示面も竿取付脚部及び釣竿と略平行になるように配置される。このため、ハンドル部の操作を行う場合、タックルの支持の仕方によっては、表示面が反射したり視野角から外れたりして、表示面の視認性が低下するおそれが生じる。特に、セグメント方式の表示面では、表示されたセグメントパターンだけでなく、表示されていない背景のセグメントパターンも同時に見えてしまうなど、表示面の視認性が低下するおそれがある。
【０００５】
本発明の課題は、両軸受リールのリール本体において、表示面の視認性を向上させることにある。
【０００６】
【課題を解決するための手段】
発明１に係る両軸受リールのリール本体は、釣竿に着脱自在に装着され、前方に釣り糸を繰り出す両軸受リールのリール本体であって、竿取付脚部と、本体部材と、ハンドル部と、スプールと、カウンター部とを備えている。竿取付脚部には、釣竿に装着するための釣竿装着面が形成されている。本体部材は、竿取付脚部の釣竿装着面の裏側に相当する面上に設けられている。ハンドル部は、釣竿の中心軸にくい違う軸回りに回転自在に本体部材に装着されている。スプールは、ハンドル部の回転軸と平行なスプール軸回りに回転自在に本体部材に配置されている。カウンター部は、本体部材の上部に設けられ、前方側が竿取付脚部からより離反するように傾斜するセグメント方式の表示面を有している。そして、カウンター部は、釣竿装着面と表示面とのなす角度である表示面の傾斜角度が５度以上２０度未満の範囲になるように配置されている。
【０００７】
この両軸受リールのリール本体では、本体部材が竿取付脚部の釣竿装着面で釣竿に装着される。ハンドル部は釣竿の中心軸にくい違う軸回りに、スプールはハンドル部の回転軸と平行なスプール軸回りに、回転自在に本体部材に取り付けられる。カウンター部は、セグメント方式の表示面を有し、本体部材の上部に配置される。表示面は、前方側が竿取付脚部からより離反するように傾斜し、傾斜角度が５度以上２０度未満の範囲になるように設定される。
【０００８】
ここでは、カウンター部の表示面を傾斜させているので、両軸受リールを釣竿に装着したタックルを支持した状態で釣りを行っても、表示面の反射が避けやすく、表示面は視野角から外れにくい。したがって、表示面の視認性を向上することができる。また、カウンター部の表示面を５度以上２０度未満の範囲で傾斜させているので、表示面にセグメント方式の液晶を採用しても、表示されたセグメントパターンを明確に確認することができる。なお、セグメント方式の表示面では、傾斜角度が５度未満または２０度以上になると、状況によっては、セグメントで表示されたパターンだけでなく、表示されていない背景のセグメントパターンも同時に見えてしまうなど、表示面の視認性を十分に確保することが困難となる。
【０００９】
発明２に係る両軸受リールのリール本体は、発明１のリール本体において、傾斜角度が８度以上１５度以下の範囲である。この場合、セグメント方式の表示面において、８度以上１５度以下という最適な傾斜角度が確保されているので、表示面の視認性をさらに向上することができる。
発明３に係る両軸受リールのリール本体は、発明１又は２のリール本体において、カウンター部が、本体部材の釣り糸が繰り出される側に配置されている。この場合、カウンター部が本体部材の釣り糸が繰り出される側、すなわち、本体部材の前方側に配置されているので、表示部の視認性を向上することができる。また、釣り糸の繰り出し状況を確認しながら、表示面の表示内容を把握することができる。
【００１０】
発明４に係る両軸受リールのリール本体は、発明１から３いずれかのリール本体において、表示面が７セグメントで表示する方式の液晶表示面である。この場合、７セグメント方式の液晶によって各種情報を表示することで、表示内容を良好に視認することができる。
発明５に係る両軸受リールのリール本体は、発明１から４のいずれかのリール本体において、竿取付脚部が、本体部材の傾斜角度を変更可能な取付部材を有している。この場合、竿取付脚部が本体部材の傾斜角度を変更可能な取付部材を有しているので、竿取付脚部を固定した状態で本体部材を揺動させることで、表示面の傾斜角度を任意の角度に設定でき、視野角から外れないように表示面のズレを調節できる。
【００１１】
【発明の実施の形態】
〔カウンターリールの構成〕
図１に、本発明の一実施形態による両軸受リールのリール本体を示す。
両軸受リールのリール本体は、本体部材１と、カウンター部４と、ハンドル部２と、スプール１０とを備えている。本体部材１は、左右１対の第１側板７ａ及び第２側板７ｂと両側板７ａ，７ｂを互いに連結する図示しない複数の連結部とによって構成されたフレーム７と、フレーム７の左右をそれぞれ覆う左右の第１側カバー８ａ及び第２側カバー８ｂとを有している。第２側板７ｂには、クラッチ操作レバー１４が取り付けられており、このクラッチ操作レバー１４をＯＮ又はＯＦＦにすると、ハンドル部２からスプール１０への回転力の伝達を有効又は無効に切り替えることができる。本体部材１の下部には、前後方向に伸びた竿取付脚部９が設けられている。この竿取付脚部９には釣竿装着面９ａが形成され、釣竿装着面９ａに釣竿が装着される。
【００１２】
カウンター部４は、図１および図２に示すように、本体部材１の前部上面に取り付けられている。カウンター部４には、仕掛けの水深や棚位置を水面からと底からとの２つの基準で表示する表示面５ａを有する表示部５と、表示部５の側部に並べて配置されたスイッチ操作部６とが設けられている。表示面５ａは、７セグメントで表示する方式の液晶となっている。このカウンター部４は、図３に示すように、前方側が上方になるように傾斜している。このとき、釣竿装着面９ａと表示面５ａとのなす角度である傾斜角度αは、５度以上２０度未満の範囲になるように設定される。
【００１３】
カウンター部４の内部には制御部３０（図４参照）が取り付けられており、制御部３０は表示部５およびスイッチ操作部６に接続されている。制御部３０は、ＣＰＵ、ＲＡＭ、ＲＯＭ、Ｉ／Ｏインターフェイス等を含むマイクロコンピュータを備えおり、制御プログラムに従って表示制御や電源管理等の制御が行われている。なお、制御部３０には、図４に示すように、表示部５と、スイッチ操作部６と、各種情報を記憶するＥＥＰＲＯＭ等の不揮発メモリからなる記憶部３３と、制御部３０及び表示部５に電力を供給するためのコンデンサからなる蓄電池３４と、他の入出力部３５とが接続されている。
【００１４】
ハンドル部２は、図１および図２に示すように、本体部材１の右側方に配置され、釣竿の中心軸にくい違う軸回りに回転自在になっている。スプール１０は、ハンドル部２の回転軸と平行なスプール１０軸回りに回転自在に本体部材１に装着されている。このスプール１０の外周に釣り糸を均一に巻き取るために、レベルワインド駆動機構４０がリール本体１の内部に設けられている。
【００１５】
レベルワインド駆動機構４０は、図２および図５に示すように、第１側板７ａおよび第２側板７ｂの間に固定されたガイド筒４１と、ガイド筒４１内に回転自在に配置された螺旋状溝が形成されたウォームシャフト４２と、ラインガイド５０とを有している。ガイド筒４１は、下部がＵ字状に開口した筒状部材となっている。ウォームシャフト４２の一端は、第１側板７ａから第１側カバー８ａ側に突出しており、たとえばＥリング等により抜け止めされている。ラインガイド５０は、ガイド本体５４と、ガイド本体５４の下部に配置された係合部材５５と、係合部材５５をガイド本体５４に保持するためのレベルワインド受け部材５８と、ガイド本体５４の上部に配置され釣り糸を案内するセラミック製の硬質リング５６とを有している。係合部材５５は、ウォームシャフト４２と直交する方向に配置され上端が螺旋状溝に係合している。ガイド本体５４の中央部にはウォームシャフト４２が貫通し、かつその周囲にはガイド筒４１が貫通している。
【００１６】
また、レベルワインド駆動機構４０は、図５および図６に示すように、本体部材１の後部に配置されたレベルワインドガード５１と、レベルワインドガード５１の上方に配置されたレベルワインドカバー５１ａとによって保護されている。レベルワインドガード５１には、リブ５２が、レベルワインドガード５１からウォームシャフト４２の下方に平行に回り込むように一体に形成されている。このリブ５２によって、ラインガイド５０への糸絡みは防止される。ウォームシャフト４２の下方に位置するリブ５２の端部には、ラインガイド５０のメンテナンスを行うための複数の半円状の切り欠き部５３が設けられている。なお、ラインガイド５０とリブ５２との間には、所定の間隔が設けられている。
【００１７】
〔カウンターリールの動作とカウンター機能〕
以上のように、ハンドル部２が本体部材１の右側に装着されている両軸受リールを使用する場合、クラッチ操作レバー１４をＯＮにしてハンドル部２からスプール１０への回転力の伝達を有効にした状態でハンドル部２を操作すると、ハンドル部４の回転に応じて、スプール１０が回転するとともに、レベルワインド駆動機構４０も同時に動作し、ラインガイド５０から案内される釣り糸が、スプール３の外周に前後方向に均一に巻き取られる。このとき、ガイド筒４１の下方に形成されたリブ５２によって、ラインガイド５０への糸がらみが防止される。また、クラッチ操作レバー１４をＯＦＦにしてハンドル部２からスプール１０への回転力の伝達を無効にすると、スプール１０がハンドル部４とは独立に回転可能となり、釣り糸に取り付けられた仕掛けの重みによって釣り糸は前方に繰り出される。このとき、制御部３０では、釣り糸の巻き取り時・繰り出し時ともに、スプール１０の回転数から棚位置や現在の仕掛けの水深等が計測される。また、計測結果が、記憶部３３に保存されつつ、７セグメント方式の表示面５ａに表示される。
【００１８】
このような両軸受リールのカウンター機能により求められた計測結果をより効果的に認識・判断するためには、表示面５ａに表示された内容を即座に確認できるように、７セグメント方式の表示面５ａに対する視認性を確保しておくことが必要である。このとき、本実施形態の両軸受リールでは、カウンター部４の前方側が上方になるように表示面５ａを傾斜させているので、表示面５ａの反射が避けやすく、表示面５ａは視野角から外れにくい。したがって、表示面５ａの視認性を向上することができる。また、傾斜角度αが５度以上２０度未満の範囲になるように設定されているので、表示面５ａに７セグメント方式の液晶を採用しても、表示されたセグメントパターンを明確に確認することができる。このように、表示面５ａの十分な視認性が確保できれば、表示面５ａが見やすくなるようにタックルを動かす必要がなくなり、釣りをより快適に楽しむことができる。
【００１９】
〔他の実施形態〕
（ａ）前記実施形態では、両軸受リールのリール本体の例として、手巻きカウンタリールを用いた説明を行ったが、リール本体は、前記実施形態に限定されず、表示面を有する両軸受リールであれば、リール本体はどのようなものでも良い。たとえば、モータでスプールを回転する電動リール等にも本発明は適用できる。
【００２０】
（ｂ）前記実施形態では、７セグメント方式の表示面５ａの傾斜角度αが５度以上２０度未満の範囲になるように設定される場合の例を示したが、表示面５ａの傾斜角度αは前記実施形態に限定されず、セグメント方式で傾斜角度を８度以上１５度以下の範囲にすると表示面の視認性のさらなる向上が期待できる。
（ｃ）前記実施形態では、カウンター部４の本体部材１への設置例として、カウンター部４が本体部材１に固定された状態を示しているが、カウンター部４の設置方法は前記実施形態に限定されず、カウンター部４の表示面５ａに対する視認性を向上できる傾斜角度を確保できれば、カウンター部４はどのようにリール本体１に設置されても良い。たとえば、表示面５ａの傾斜角度が５度以上２０度未満の範囲になるようにリール本体１に対して移動自在または揺動自在な構成であってもよい。また、カウンター部４をリール本体１に対して着脱自在な構成にしてもよい。
【００２１】
（ｄ）竿取付脚部９は、図７に示すように、リール本体の傾斜角度βを変更できる機構を有していても良い。この場合、竿取付脚部９を釣竿に固定した状態で、竿取付脚部９に設けられた傾斜角調節機構９ｂによって本体部材の傾斜角度βが変更され、表示面５ａに対する最適な傾斜角度を設定することができる。この実施形態では、傾斜角度βが０度のとき、傾斜角度αも０度となるような場合を示しているが、傾斜角度αは０度であることに限定されず、傾斜角度αが角度を有した状態で、傾斜角度調節機構９ｂを用いて最適な傾斜角度を確保しても良い。
【００２２】
（ｅ）前記実施形態では、複数の半円状の切り欠き部５３がリブ５２の端部に設置される場合の例を示したが、切り欠き部５３の形状や設置方法は前記実施形態に限定されず、ラインガイド５０にアクセスすることができれば、切り欠き部５３の形状、設置間隔および設置個数はどのようにしてもよい。
【００２３】
【発明の効果】
本発明によれば、両軸受リールのリール本体において、カウンター部の表示面を傾斜させているので、表示面の反射が避けやすく、表示面は視野角から外れにくい。したがって、表示面の視認性を向上することができる。また、カウンター部の表示面を５度以上２０度未満の範囲で傾斜させているので、表示面にセグメント方式の液晶を採用しても、セグメントで表示されたパターンを明確に確認することができる。
【図面の簡単な説明】
【図１】本発明の一実施形態による両軸受リールの斜視図。
【図２】前記両軸受リールの平面図。
【図３】前記両軸受リールの側面図。
【図４】制御部の構成を示すブロック図。
【図５】前記両軸受リールの断面図。
【図６】レベルワインドガードのＩ−Ｉ矢視図
【図７】本発明の他の実施形態による前記実施形態の図３に相当する図。
【符号の説明】
１  本体部材
２  ハンドル部
４  カウンター部
５  表示部
５ａ  表示面
６  スイッチ操作部
９  竿取付脚部
９ａ  釣竿装着面
１０  スプール
１４  クラッチ操作レバー
５０  ラインガイド
５２  リブ
５３  切り欠き部
【図１】
2004166506.tif 000003
【図２】
2004166506.tif 000004
【図３】
2004166506.tif 000005
【図４】
2004166506.tif 000006
【図５】
2004166506.tif 000007
【図６】
2004166506.tif 000008
【図７】
2004166506.tif 000009